(57)【要約】【課題】  ＡＴＭからの預金の不正引き出しを防止するキャッシュカード、ＡＴＭおよびキャッシュカードの不正利用防止方法を提供する。【解決手段】  キャッシュカードの記録手段または記憶手段に、取り引き処理を行うことができるＡＴＭを特定するためのＡＴＭ特定情報を記録または記憶する記録領域または記憶領域が設けられ、ＡＴＭ特定情報が記録または記憶され、ＡＴＭにより、前記キャッシュカードに記録または記憶されているＡＴＭ特定情報を読み取るステップと、前記ＡＴＭで読み取ったＡＴＭ特定情報と、予め前記ＡＴＭに登録されているＡＴＭ特定情報とを照合するステップと、前記照合の結果、照合一致の場合にだけ、前記キャッシュカードを用いて前記ＡＴＭでの取り引き処理を行えるようにするステップとからなる。【選択図】        図4
2007026137.tif 000002
【特許請求の範囲】
【請求項１】
記録手段または記憶手段を有するキャッシュカードであって、
前記記録手段または記憶手段に、前記キャッシュカードを用いて取り引き処理を行うことができるＡＴＭ（現金自動支払機）を特定するためのＡＴＭ特定情報が記録または記憶されていることを特徴とするキャッシュカード。
【請求項２】
記録手段または記憶手段を有するキャッシュカードであって、
前記記録手段または記憶手段に、前記キャッシュカードを用いて、取り引き処理を行うことができるＡＴＭ（現金自動支払機）を特定するためのＡＴＭ特定情報を記録または記憶する記録領域または記憶領域が設けられていることを特徴とするキャッシュカード。
【請求項３】
記録手段または記憶手段を有するキャッシュカードを用いて取り引き処理を行うことができるＡＴＭ（現金自動支払機）であって、
前記キャッシュカードの記録手段または記憶手段に記録または記憶されているＡＴＭ特定情報を読み取る手段と、
読み取ったＡＴＭ特定情報と、予めＡＴＭの記憶手段に登録されているＡＴＭ特定情報とを照合する手段と、
前記照合結果において、照合一致となった場合にだけ、前記キャッシュカードを用いた取り引き処理を行えるように制御する手段と、
を備えることを特徴とするＡＴＭ。
【請求項４】
他人のキャッシュカードが使用されて、ＡＴＭ（現金自動支払機）で不正な取り引きが行われることを防止するキャッシュカードの不正利用防止方法であって、
前記ＡＴＭにより、前記キャッシュカードに記録または記憶されているＡＴＭ特定情報を読み取るステップと、
前記ＡＴＭで読み取ったＡＴＭ特定情報と、予め前記ＡＴＭに登録されているＡＴＭ特定情報とを照合するステップと、
前記照合の結果、照合一致の場合にだけ、前記キャッシュカードを用いて前記ＡＴＭでの取り引き処理を行えるようにするステップと、
からなることを特徴とするキャッシュカードの不正利用防止方法。
【請求項５】
キャッシュカードを用いて、ＡＴＭ（現金自動支払機）で不正な取り引きが行われることを防止するために、前記キャッシュカード記録手段または記憶手段に、取り引き処理を行うことができるＡＴＭを特定するためのＡＴＭ特定情報を、記録または記憶させることができるキャッシュカードの不正利用防止方法であって、
前記キャッシュカードに記録または記憶されている本人認証用情報を、前記ＡＴＭで読み取るステップと、
前記読み取った本人認証用情報に基づいて本人認証処理を行うステップと、
前記本人認証処理の結果、承認された場合に、前記ＡＴＭの入力手段から入力された前記ＡＴＭ特定情報を、前記キャッシュカードの記録手段または記憶手段に記録または記憶させるステップと、
からなることを特徴とするキャッシュカードの不正利用防止方法。
【発明の詳細な説明】
【技術分野】
【０００１】
本発明は、他人のキャッシュカードが不正に使用されて、ＡＴＭ（現金自動支払機）で不正な現金の引き出し処理が行われることを防止するためのキャッシュカード、ＡＴＭおよびキャッシュカードの不正利用防止方法に関する。
【背景技術】
【０００２】
従来、他人のキャッシュカードを盗んで、ＡＴＭにより他人の口座から不正に預金の引き出しが行われることで盗み出されたり、他人のキャッシュカードの偽造カードが作製されて、ＡＴＭにより他人の口座から不正に預金が引き出しがされたりして盗み出されるという犯罪が多発して問題となっている。
通常、他人のキャッシュカードであっても、ＡＴＭに入力した暗証番号の照合が一致すれば、ネットワークで接続された全国どこのＡＴＭを使用しても現金の引き出し処理を行うことができる。
したがって、キャッシュカードを盗んだ犯罪者は、犯行を行う際にそのキャッシュカードの正規の持ち主が住んでいる地域から、できるだけ離れた地域に設置されているＡＴＭを使用して現金の引き出しを行うことも考えられ、犯罪者を捕まえることが難しくなっているという問題がある。
【０００３】
更に、最近では、２４時間営業のコンビニエンスストアにもＡＴＭが設置されていることから、深夜にコンビニエンスストアのＡＴＭを使用して、他人のキャッシュカードなどで不正な現金の引き出しを行うことも可能となり、犯罪行為を取り締まることが益々難しくなっているという問題がある。
【０００４】
従来公知技術としては、カード取引要求時のカード利用場所と、正当なカード利用者が所持する携帯電話などにより、カードの利用の正当性を判定する技術がある。（例えば、特許文献１参照）
しかしながら、カード利用者が常に携帯電話を所持しているとは限らず、携帯電話を使用していない場合には、カードの利用の正当性を判定することができない。
また、多数のカード利用者の全てに対して、カード取引要求時毎に携帯電話による現在位置情報を取得することは、処理件数が膨大となり実現性が低いという問題がある。
【特許文献１】特開２００２−１４０６４６号公報
【発明の開示】
【発明が解決しようとする課題】
【０００５】
そこで、本発明は、他人のキャッシュカードが盗まれたり、また他人のキャッシュカードの偽造カードが作製されたりした場合でも、それらのカードを使用することができるＡＴＭを、予め定めた特定のＡＴＭに制限できるようにして、簡単に他人の口座から預金が不正に引き出されないようにして、ＡＴＭからの預金の不正引き出しを防止することができるキャッシュカード、ＡＴＭおよびキャッシュカードの不正利用防止方法を提供する。
【課題を解決するための手段】
【０００６】
本発明のキャッシュカードは、記録手段または記憶手段を有するキャッシュカードであって、前記記録手段または記憶手段に、前記キャッシュカードを用いて取り引き処理を行うことができるＡＴＭ（現金自動支払機）を特定するためのＡＴＭ特定情報が記録または記憶されていることを特徴とする。
【０００７】
また、本発明のキャッシュカードは、記録手段または記憶手段を有するキャッシュカードであって、前記記録手段または記憶手段に、前記キャッシュカードを用いて、取り引き処理を行うことができるＡＴＭ（現金自動支払機）を特定するためのＡＴＭ特定情報を記録または記憶する記録領域または記憶領域が設けられていることを特徴とする。
【０００８】
また、本発明のＡＴＭは、記録手段または記憶手段を有するキャッシュカードを用いて取り引き処理を行うことができるＡＴＭ（現金自動支払機）であって、前記キャッシュカードの記録手段または記憶手段に記録または記憶されているＡＴＭ特定情報を読み取る手段と、読み取ったＡＴＭ特定情報と、予めＡＴＭの記憶手段に登録されているＡＴＭ特定情報とを照合する手段と、前記照合結果において、照合一致となった場合にだけ、前記キャッシュカードを用いた取り引き処理を行えるように制御する手段と、を備えることを特徴とする。
【０００９】
更に、本発明のキャッシュカードの不正利用防止方法は、他人のキャッシュカードが使用されて、ＡＴＭ（現金自動支払機）で不正な取り引きが行われることを防止するキャッシュカードの不正利用防止方法であって、前記ＡＴＭにより、前記キャッシュカードに記録または記憶されているＡＴＭ特定情報を読み取るステップと、前記ＡＴＭで読み取ったＡＴＭ特定情報と、予め前記ＡＴＭに登録されているＡＴＭ特定情報とを照合するステップと、前記照合の結果、照合一致の場合にだけ、前記キャッシュカードを用いて前記ＡＴＭでの取り引き処理を行えるようにするステップと、からなることを特徴とする。
【００１０】
更に、本発明のキャッシュカードの不正利用防止方法は、キャッシュカードを用いて、ＡＴＭ（現金自動支払機）で不正な取り引きが行われることを防止するために、前記キャッシュカード記録手段または記憶手段に、取り引き処理を行うことができるＡＴＭを特定するためのＡＴＭ特定情報を、記録または記憶させることができるキャッシュカードの不正利用防止方法であって、前記キャッシュカードに記録または記憶されている本人認証用情報を、前記ＡＴＭで読み取るステップと、前記読み取った本人認証用情報に基づいて本人認証処理を行うステップと、前記本人認証処理の結果、承認された場合に、前記ＡＴＭの入力手段から入力された前記ＡＴＭ特定情報を、前記キャッシュカードの記録手段または記憶手段に記録または記憶させるステップと、からなることを特徴とする。
【発明の効果】
【００１１】
本発明のキャッシュカードは、そのキャッシュカードでの取り引き処理を行うことができるＡＴＭを特定するためのＡＴＭ識別情報が記録または記憶されているので、キャッシュカード毎に取り引き処理を行うことができるＡＴＭを特定することができ、たとえ第三者にキャッシュカードを偽造されたり、またキャッシュカードが盗まれた場合でも、預金の引き出しが可能なＡＴＭが特定されているので、不正な預金の引き出しを防止することができるという効果がある。
【００１２】
また、本発明のキャッシュカードは、そのキャッシュカードでの取り引き処理を行うことができるＡＴＭを特定するためのＡＴＭ識別情報を記憶または記憶するための記憶領域または記憶領域が設けられているので、ＡＴＭ識別情報を記憶または記憶させることで、キャッシュカードで取り引き処理を行うことができるＡＴＭを特定することができ、たとえ第三者にキャッシュカードを偽造されたり、またキャッシュカードが盗まれた場合でも、預金の引き出しが可能なＡＴＭの特定情報を記憶または記録できるので、不正な預金の引き出しを防止することができるという効果がある。
【００１３】
また、本発明のＡＴＭは、キャッシュカードに記録または記憶されているＡＴＭ特定情報を読み取って、ＡＴＭに登録されているＡＴＭ特定情報と照合して一致しないと、取り引きが行えないので、たとえ第三者にキャッシュカードを偽造されたり、またキャッシュカードが盗まれた場合でも、預金の引き出しが可能なＡＴＭがわからないので、不正な預金の引き出しを防止することができるという効果がある。
【００１４】
更に、本発明のキャッシュカードの不正利用防止方法は、キャッシュカードに記録または記憶されているＡＴＭ特定情報を読み取って、ＡＴＭに登録されているＡＴＭ特定情報と照合して一致しないと、取り引きが行えないので、たとえ第三者にキャッシュカードを偽造されたり、またキャッシュカードが盗まれた場合でも、預金の引き出しが可能なＡＴＭがわからないので、不正な預金の引き出しを防止することができるという効果がある。
【００１５】
また、本発明のキャッシュカードの不正利用防止方法は、本人認証処理で承認された場合にだけ、キャッシュカードの記録手段または記憶手段にＡＴＭ特定情報を記録または記憶させるので、正当な利用者が自由に取り引き可能なＡＴＭを選べることができ、たとえ第三者にキャッシュカードを偽造されたり、またキャッシュカードが盗まれた場合でも、預金の引き出しが行われるＡＴＭが特定できないので、不正な預金の引き出しを防止することができるという効果がある。
【発明を実施するための最良の形態】
【００１６】
以下、本発明の実施形態に係るキャッシュカード、ＡＴＭおよびキャッシュカードの不正利用防止方法について、図面に基づいて詳細に説明する。
図１は、本発明の実施形態に係るＩＣカードによるキャッシュカードの平面図、図２は、本発明の実施形態に係るＩＣカードによるキャッシュカードのシステムブロック図、図３は、本発明の実施形態に係る磁気カードによるキャッシュカードの平面図、図４は、本発明の実施形態に係るＡＴＭと、またキャッシュカードの不正利用防止方法に適応したシステムのシステムブロック図、図５及び図６は、本発明の実施形態に係るキャッシュカードの不正利用防止方法に適応したシステムの処理手順を示すフローチャート図である。
【００１７】
本発明の実施形態に係るキャッシュカードは、記録手段または記憶手段を有している。
図１及び図２には、記憶手段を有するキャッシュカードの一例として、ＩＣカードによるキャッシュカード１ａが示されており、図３には、記録手段を有するキャッシュカードの一例として、磁気カードによるキャッシュカード１ｂが示されている。
まず、図１及び図２に基づいて、ＩＣカードによるキャッシュカード１ａについて説明する。
このＩＣカードによるキャッシュカード１ａは、ＩＣチップが内蔵されたＩＣモジュール２がカード基材に埋設されている。
そして、図２に示すように、ＩＣモジュール２に内臓されたＩＣチップには、ＣＰＵ３、書き換え可能な不揮発性メモリ（ＥＥＰＲＯＭ）４、読み出し専用メモリ（ＲＯＭ）５、揮発性メモリ（ＲＡＭ）６が備えられている。
また、更にＩＣモジュール２には、電源電圧を供給するＶＣＣ端子７、接地用のＧＮＤ端子８、リセット信号を供給するＲＳＴ端子９、クロック信号を供給するＣＬＫ端子１０、データ入出力用のＩ／Ｏ端子１１が備えられている。
【００１８】
そして、ＩＣモジュール２のＩＣチップにおいて、ＥＥＰＲＯＭ４には、そのキャッシュカード１ａを用いて取り引き処理を行うことができるＡＴＭ（現金自動支払機）を特定するためのＡＴＭ特定情報を記憶させるためのＡＴＭ特定情報記憶領域４ａが設けられ、その記憶領域にＡＴＭ特定情報１２が記憶されている。
このＡＴＭ特定情報を記憶するためのＡＴＭ特定情報記憶領域４ａは、必要に応じて複数のＡＴＭ特定情報１２を記憶可能な領域が確保されている。
ＡＴＭ特定情報記憶領域４ａに記憶されるＡＴＭ特定情報１２としては、各々のＡＴＭを管理するために設定されたＡＴＭ管理番号などが用いられる。
したがって、金融機関の１支店に複数台のＡＴＭが設置されている場合であっても、利用者が使用を希望する特定のＡＴＭだけを選んで、その使用したいＡＴＭのＡＴＭ特定情報１２をＡＴＭ特定情報記憶領域４ａに書き込んで登録させることで、第三者に知られずに、そのキャッシュカード１ａで預金の引き出しなどの取り引き処理をすることが可能なＡＴＭを特定できるようにしてある。
【００１９】
また、キャッシュカード１ａのＡＴＭ特定情報記憶領域４ａに登録されたＡＴＭ特定情報１２は、所定の処理を行うことで、変更、追加、消去などの処理を行うことができるように登録されている。
したがって、正規のキャッシュカード１ａの所有者が、いつでも使用可能なＡＴＭを変更して、第三者が不正にそのキャッシュカード１ａを使用してＡＴＭから現金の引き出し処理をしようとしても、その使用しているＡＴＭがＡＴＭ特定情報１２で特定されたＡＴＭでないと取り引き処理を受け付けないようにしてある。
【００２０】
次に、記録手段を有するキャッシュカード１ｂの一例を、図３に基づいて説明する。
記録手段を有するキャッシュカード１ｂとしては、カード基材に磁気記録手段である磁気ストライプ１３が設けられている。
そして、この磁気ストライプ１３に、そのキャッシュカード１ｂを用いて取り引き処理を行うことができるＡＴＭ（現金自動支払機）を特定するためのＡＴＭ特定情報を記録させるＡＴＭ特定情報記録領域１４が設けられ、その記録領域にＡＴＭ特定情報１５が記録されている。
【００２１】
次に、図４及び図５に基づいて、本発明の実施形態に係るＡＴＭと、更にキャッシュカードの不正利用防止方法を適応するシステム構成に基づいて説明する。
尚、キャッシュカードは、記録手段または記憶手段を有しているカードのどちらを使用することができるが、ここでは、ＩＣカードによるキャッシュカード１ａを使用した場合について説明する。
【００２２】
キャッシュカード１ａを使用して取り引き処理を行うＡＴＭ２０は、通信回線２１を介して金融機関のサーバ２２と通信可能に接続されている。
そして、ＡＴＭ２０には、表示手段２４、ＡＴＭ処理停止制御手段２５、カード情報読取書込手段２６、現金処理手段２７、記憶手段２８、入力手段２９、ＡＴＭ特定情報照合手段３０、本人認証処理手段３１、カード特定情報書込制御手段３２、通信手段３３、暗証番号処理手段３４、制御手段３５などが備えられている。
【００２３】
まず、カード情報読取書込手段２６は、キャッシュカード１ａに記憶されている情報を読み取る機能を有している。
キャッシュカード１ａには、一般的に金融取引に必要な公知の情報と、キャッシュカード１ｂを用いて取り引き処理を行うことができるＡＴＭを特定するためのＡＴＭ特定情報とが記憶され、カード情報読取書込手段２６は、これらのカード情報の読み取りを行う。
また、記憶手段２７には、そのＡＴＭを特定するためのＡＴＭ管理番号などのＡＴＭ特定情報が予め記憶され登録されている。
【００２４】
ＡＴＭ特定情報照合手段３０は、キャッシュカード１ａから読み取られたＡＴＭ特定情報と、ＡＴＭ２０の記憶手段２８に予め登録されているＡＴＭ特定情報とを照合する機能を有する。
ＡＴＭ処理停止制御手段２５は、ＡＴＭ特定情報照合手段３０でのＡＴＭ特定情報に基づく照合処理の結果が不一致の場合に、ＡＴＭの処理が行えない状態に停止してキャッシュカード１ａでの取り引きが行えない状態とする機能を有している。
これにより、ＡＴＭ特定情報照合手段３０での照合処理が行われた場合には、その照合結果が一致した時だけ、そのキャッシュカード１ａを使用した取り引き処理が可能となっている。
【００２５】
また、カード特定情報書込制御手段３２は、キャッシュカード１ａの記憶手段に新たなＡＴＭ特定情報を書き込んで登録させたり、既に記憶されているＡＴＭ特定情報の消去や変更などの処理を行う機能を有している。
表示手段２４は、処理手順の説明などが表示され、また、入力手段２９により、利用者が暗証番号や指示情報などを入力する。
本人認証処理手段３１及び暗証番号処理手段３４は、入力手段２９から暗証番号が入力された際に、サーバ２２に対してその暗証番号に基づく照合処理を依頼して、その照合結果に基づく処理を行う機能を有する。
また、現金処理手段２７は、現金の入金処理や出金処理を行う。
通信手段３３は、通信回線２１を介して金融機関のサーバ２２と通信を行う機能を有する。
【００２６】
また、上記の実施形態は、ＩＣカードによるキャッシュカード１ａを使用した場合であるが、キャッシュカードとして、磁気カードなどの記録手段を有するキャッシュカードを使用した場合には、カード情報読取書込手段２６が、キャッシュカード１ａに記録されている情報を読み取る機能を有する。
【００２７】
次に、金融機関のサーバ２２には、暗証番号照合手段３６、記憶手段３７、預金者情報データベース３８、本人認証判定手段３９、金融取引処理手段４０、制御手段４１、通信手段４２などが備えられている。
まず、預金者情報データベース３８には、預金者毎の個人情報、暗証番号、預金情報などの情報が蓄積されている。
通信手段４２は、ＡＴＭ２０との間で通信を行う機能を有する。
また、暗証番号照合手段３６は、ＡＴＭ２０から受信した暗証番号を預金者情報データベース３８に登録されている暗証番号と照合を行う機能を有する。
本人認証判定手段３９は、暗証番号照合手段３６での照合結果に基づいて本人認証の判定を行う機能を有する。
【００２８】
次に、上記システムの処理手順に基づいて、本発明の実施形態に係るキャッシュカードの不正利用防止方法を説明する。
まず、キャッシュカード１ａに、既にＡＴＭ特定情報が記憶されている場合であって、利用者がそのキャッシュカード１ａを使用してＡＴＭ２０での処理を行う際の処理手順を、図６のフローチャート図に基づいて説明する。
【００２９】
ここでは、利用者がキャッシュカードを使用してＡＴＭ２０により預金の引き出し処理を行う場合について説明する。
まず、最初にＡＴＭ２０の表示手段２４には、予め設定されている初期画面が表示されている。
そして、利用者は、その初期画面の中から出金メニューの選択の操作を行う。（ステップ１）
次に、利用者は、ＡＴＭ２０のカード挿入口からキャッシュカード１ａを入れてセットさせる。（ステップ２）
ＡＴＭ２０は、セットされたキャッシュカード１ａの記憶手段における記憶領域の中から、ＡＴＭ特定情報を記憶する記憶領域にＡＴＭ特定情報が記憶されているか否かの判定処理を行う。（ステップ３）
この判定処理において、ＡＴＭ特定情報が記憶されていないと判定された場合には、そのＡＴＭ２０での取り引き処理を可能な状態に維持する。（ステップ４）
【００３０】
また、この判定処理において、ＡＴＭ特定情報が記憶されていると判定された場合には、キャッシュカード１ａに記憶されているＡＴＭ特定情報を読み取り、ＡＴＭ２０で読み取られたＡＴＭ特定情報と、予めＡＴＭ２０の記憶手段２８に登録されているＡＴＭ特定情報とが照合処理される。（ステップ５）
そして、この照合の結果、照合一致の場合には、そのＡＴＭ２０で取り引き処理を行える状態を維持して、その後に所定の預金の引き出し操作を行うことができるようにしてある。（ステップ６）
【００３１】
また、この照合の結果、照合不一致の場合には、ＡＴＭ処理停止制御手段２５が作動して、その後の処理を行うことができない状態に処理の停止が行われる。（ステップ７）
したがって、利用者は、そのＡＴＭ２０では預金の引き出し処理を行うことができない。
【００３２】
次に、上記システムの処理手順に基づき、利用者が、キャッシュカード１ａの記憶手段に、キャッシュカード１ａで使用することができるＡＴＭ２０を特定するためのＡＴＭ特定情報を書き込んで登録させる際の処理手順を、図６のフローチャート図に基づいて説明する。
つまり、利用者は、自分の意思によりキャッシュカード１ａで使用することができるＡＴＭ２０を限定させることができるようにしてあり、自由の登録や削除、変更などの処理が行えるようにしてある。
【００３３】
まず、最初にＡＴＭ２０の表示手段２４には、予め設定されている初期画面が表示されている。
そして、利用者は、その初期画面の中から「指定ＡＴＭ情報登録」のメニュー選択の操作を行う。（ステップ１０）
次に、利用者は、ＡＴＭ２０のカード挿入口からキャッシュカード１ａを入れてセットさせる。（ステップ１１）
次に、利用者は、ＡＴＭ２０の入力手段２９から本人認証情報である暗証番号の入力を行う。（ステップ１２）
【００３４】
次に、ＡＴＭ２０からサーバ２２に対して、暗証番号が送信される。（ステップ１３）
そして、サーバ２２において、受信した暗証番号と、預金者情報データベース３８に登録されている暗証番号との間で照合処理が行われる。（ステップ１４）
サーバ２２からＡＴＭ２０に、照合結果の情報として、照合一致で本人認証が承認されたか否かの情報が送信される。（ステップ１５）
そして、ＡＴＭ２０がサーバ２２から、本人認証が承認されたことを示す承認情報を受信した場合には、利用者が、ＡＴＭ２０を操作してキャッシュカード１ａの記憶手段に記憶されるＡＴＭ情報の新規登録や削除、変更などの処理を行える状態にする。（ステップ１６）
【００３５】
また、ＡＴＭ２０がサーバ２２から、本人認証が承認されないことを示す否認情報を受信した場合には、利用者が、ＡＴＭ２０を操作してキャッシュカード１ａの記憶手段に記憶されるＡＴＭ情報の新規登録や削除、変更などの処理を行えない状態にする。（ステップ１７）
【００３６】
上記の実施例は、ＩＣカードのような記憶手段を有するキャッシュカードの場合について説明したが、図３に示す磁気カードのような記録手段を有するキャッシュカードの場合であっても同様の処理が行われる。
記録手段を有するキャッシュカードの場合に、上記のステップ３において、ＡＴＭ２０は、セットされたキャッシュカード１ａの記憶手段における記録領域の中から、ＡＴＭ特定情報を記憶する記録領域にＡＴＭ特定情報が記録されているか否かの判定処理を行う。
【００３７】
また、上記のステップ１６において、ＡＴＭ２０がサーバ２２から、本人認証が承認されたことを示す承認情報を受信した場合には、利用者が、ＡＴＭ２０を操作してキャッシュカードの記録手段に記録されるＡＴＭ情報の新規登録や削除、変更などの処理を行える状態にする。
更に、上記のステップ１７において、ＡＴＭ２０がサーバ２２から、本人認証が承認されないことを示す否認情報を受信した場合には、利用者が、ＡＴＭ２０を操作してキャッシュカードの記録手段に記録されるＡＴＭ情報の新規登録や削除、変更などの処理を行えない状態にする。
また、キャッシュカードの記憶手段または記録手段に記憶または記録されるＡＴＭ特定情報は、複数のＡＴＭを特定するＡＴＭ特定情報を記憶または記録するようにしてもよい
【図面の簡単な説明】
【００３８】
【図１】本発明の実施形態に係るＩＣカードによるキャッシュカードの平面図である。
【図２】本発明の実施形態に係るＩＣカードによるキャッシュカードのシステムブロック図である。
【図３】本発明の実施形態に係る磁気カードによるキャッシュカードの平面図である。
【図４】本発明の実施形態に係るＡＴＭと、またキャッシュカードの不正利用防止方法に適応したシステムのシステムブロック図である。
【図５】本発明の実施形態に係るキャッシュカードの不正利用防止方法に適応したシステムの処理手順を示すフローチャート図である。
【図６】本発明の実施形態に係るキャッシュカードの不正利用防止方法に適応したシステムの処理手順を示すフローチャート図である。
【符号の説明】
【００３９】
１ａ，１ｂ  キャッシュカード
２  ＩＣモジュール
３  ＣＰＵ
４  書き換え可能な不揮発性メモリ（ＥＥＰＲＯＭ）
５  読み出し専用メモリ（ＲＯＭ）
６  揮発性メモリ（ＲＡＭ）
７  ＶＣＣ端子
８  接地用のＧＮＤ端子
９  ＲＳＴ端子
１０  ＣＬＫ端子
１１  Ｉ／Ｏ端子
１２  ＡＴＭ特定情報
１３  磁気ストライプ
１４  ＡＴＭ特定情報記録領域
１５  ＡＴＭ特定情報
２０  ＡＴＭ
２１  通信回線
２２  サーバ
２４  表示手段
２５  ＡＴＭ処理停止制御手段
２６  カード情報読取書込手段
２７  現金処理手段
２８  記憶手段
２９  入力手段
３０  ＡＴＭ特定情報照合手段
３１  本人認証処理手段
３２  カード特定情報書込制御手段
３３，４２  通信手段
３４  暗証番号処理手段
３５，４１  制御手段
３６  暗証番号照合手段
３７  記憶手段
３８  預金者情報データベース
３９  本人認証判定手段
４０  金融取引処理手段
【図１】
2007026137.tif 000003
【図２】
2007026137.tif 000004
【図３】
2007026137.tif 000005
【図４】
2007026137.tif 000006
【図５】
2007026137.tif 000007
【図６】
2007026137.tif 000008